(57)【特許請求の範囲】
【請求項１】
複数のシートの設定画面からなるグラフィカルユーザインタフェースを介して所定の機能処理を実行するデバイスで処理されるデータに対する印刷設定を設定するデータ処理装置であって、
前記シートに属する印刷設定が登録されているグループ単位の設定内容を保持する第１保持手段と、
前記第１保持手段によって保持されている前記グループ単位の設定内容の組み合わせとして登録されている全体の設定内容を保持する第２保持手段と、
前記グラフィカルユーザインタフェースを介して前記全体の設定内容が選択された場合、前記全体の設定内容に登録されている前記グループ単位の設定内容の組み合わせに基づいて前記データに対する印刷設定を設定し、前記グループ単位の設定内容が選択された場合、それぞれ選択されたグループ単位の設定内容に基づいて前記データに対する印刷設定を設定する設定手段と、
を有することを特徴とするデータ処理装置。
【請求項２】
前記第１保持手段は前記グラフィカルユーザインタフェースの複数のシート毎に複数のグループ単位の設定内容を保持することを特徴とする請求項１に記載のデータ処理装置。
【請求項３】
前記設定手段は前記グラフィカルユーザインタフェースを介してグループ単位に標準設定を選択することが可能であり、それぞれ選択されたグループ単位の標準設定の設定内容に基づいて前記印刷データに対する印刷設定を設定することを特徴とする請求項１または２に記載のデータ処理装置。
【請求項４】
前記設定手段は、前記複数のシートの設定画面から少なくとも１つのシートを表示し、前記シートに属する設定内容を変更することを特徴とする請求項１乃至３に記載のデータ処理装置。
【請求項５】
シートに属する印刷設定が登録されているグループ単位の設定内容を保持する第１保持手段と、前記第１保持手段によって保持されている前記グループ単位の設定内容の組み合わせとして登録されている全体の設定内容を保持する第２保持手段とを備え、複数のシートの設定画面からなるグラフィカルユーザインタフェースを介して所定の機能処理を実行するデバイスで処理されるデータに対する印刷設定を設定するデータ処理装置におけるデータ処理方法であって、
前記グラフィカルユーザインタフェースを介して前記全体の設定内容が選択された場合、前記全体の設定内容に登録されている前記グループ単位の設定内容の組み合わせに基づいて前記データに対する印刷設定を設定し、前記グループ単位の設定内容が選択された場合、それぞれ選択されたグループ単位の設定内容に基づいて前記データに対する印刷設定を設定する設定ステップと、
を有することを特徴とするデータ処理方法。
【請求項６】
前記第１保持手段は、前記グラフィカルユーザインタフェースの複数のシート毎に複数のグループ単位の設定内容を保持することを特徴とする請求項５に記載のデータ処理方法。
【請求項７】
前記設定ステップは、前記グラフィカルユーザインタフェースを介してグループ単位に標準設定を選択することが可能であり、それぞれ選択されたグループ単位の標準設定の設定内容に基づいて前記印刷データに対する印刷設定を設定することを特徴とする請求項５または６に記載のデータ処理方法。
【請求項８】
前記設定ステップは、前記複数のシートの設定画面から少なくとも１つのシートを表示し、前記シートに属する設定内容を変更することを特徴とする請求項５乃至７に記載のデータ処理方法。
【請求項９】
請求項５〜８のいずれかに記載のデータ処理方法を実行させるためのプログラムを格納したことを特徴とするコンピュータが読み取り可能な記憶媒体。
【発明の詳細な説明】
【０００１】
【発明の属する技術分野】
本発明は、複数のシートの設定画面からなるグラフィカルユーザインタフェースを介して所定の機能処理を実行するデバイスで処理されるデータに対する印刷設定を設定するデータ処理装置およびデータ処理方法およびコンピュータが読み取り可能なプログラムを格納した記憶媒体およびプログラムに関するものである。
【０００２】
【従来の技術】
一般に、所定の通信媒体を介して印刷装置と通信可能な情報処理装置では、ユーザインタフェースを通して各種の設定を行う場合に、設定項目が多くて複雑な依存関係を持つ場合などに、いくつかの設定項目をひとまとめにして登録し、それを選択することによって複数の項目をまとめて変更する機能をもつものがある。
【０００３】
例えばキヤノン社製のプリンタドライバを例にとってみると、入力用紙，出力用紙，給紙方法，排紙方法，部数，ページレイアウト等の物理的設定以外の、例えばグラフィックモード，解像度，カラー，Ｔｒｕｅ  Ｔｙｐｅの置換等の印字品位に関するものをセットにして、あらかじめアイコンと関連付けて登録しておき、印刷時にそれらのアイコンの中から印刷目的に合ったものを選択することで一括して設定を変更するように構成されている。
【０００４】
【発明が解決しようとする課題】
しかしながら、上記のプリンタドライバの例では、グラフィックモード，解像度，カラー，Ｔｒｕｅ  Ｔｙｐｅの置換等の印字品位に関するもの以外の入力用紙，出力用紙，給紙方法，排紙方法，部数，ページレイアウト等の物理的設定は含まれていないため、それらの設定は個々に行わなければならない。
【０００５】
例えば銀行や保険会社等でいくつかの特定フォーマットでの印刷を扱うような場合、用紙，給紙情報を別に設定し直さなければならないのは不便である。
【０００６】
一方、すべての項目を登録対象とすることを考えると，前述の件に関してはメリットは出てくるが、逆に印字品位だけを変えたい場合でもアイコンを選ぶと、常に用紙，給紙等もリセットされてしまうため、結局それら関連する項目も設定し直すことになるので不便である。
【０００７】
また、用紙，給紙等も含めて必要なすべてのセットを登録することもできるが、アイコンの数が多くなってしまい、却って使い勝手が悪くなる可能性がある。
【０００８】
本発明は、上記の問題点を解決するためになされたもので、本発明の目的は、グラフィカルユーザインタフェースを介して全体の設定内容が選択された場合、全体の設定内容に登録されているグループ単位の設定内容の組み合わせに基づいてデータに対する印刷設定を設定し、あるいはグループ単位の設定内容が選択された場合、それぞれ選択されたグループ単位の設定内容に基づいて前記データに対する印刷設定を設定することにより、各シートにおいて設定された印刷設定をグループ単位の設定内容として保持することができ、さらにグループ単位に登録されている設定内容の組み合わせを全体の印刷設定として保持することができるとともに、各シートに属する印刷設定が登録されているグループ単位のグループ印刷設定または各シートの組み合わせからなる印刷設定が登録されている全体印刷設定のいずれかを選択するという簡単な操作で、毎回設定が必要な印刷設定操作を簡略化して、ユーザの印刷要求に適応した印刷設定操作負担を大幅に軽減することができるデータ処理装置およびデータ処理方法およびコンピュータが読み取り可能なプログラムを格納した記憶媒体およびプログラムに関するものである。
【０００９】
【課題を解決するための手段】
本発明に係る第１の発明は、複数のシートの設定画面からなるグラフィカルユーザインタフェースを介して所定の機能処理を実行するデバイスで処理されるデータに対する印刷設定を設定するデータ処理装置であって、前記シートに属する印刷設定が登録されているグループ単位の設定内容を保持する第１保持手段と、前記第１保持手段によって保持されている前記グループ単位の設定内容の組み合わせとして登録されている全体の設定内容を保持する第２保持手段と、前記グラフィカルユーザインタフェースを介して前記全体の設定内容が選択された場合、前記全体の設定内容に登録されている前記グループ単位の設定内容の組み合わせに基づいて前記データに対する印刷設定を設定し、前記グループ単位の設定内容が選択された場合、それぞれ選択されたグループ単位の設定内容に基づいて前記データに対する印刷設定を設定する設定手段とを有することを特徴とする。
【００１０】
本発明に係る第２の発明は、前記第１保持手段は前記グラフィカルユーザインタフェースの複数のシート毎に複数のグループ単位の設定内容を保持することを特徴とする。
【００１１】
本発明に係る第３の発明は、前記設定手段は前記グラフィカルユーザインタフェースを介してグループ単位に標準設定を選択することが可能であり、それぞれ選択されたグループ単位の標準設定の設定内容に基づいて前記印刷データに対する印刷設定を設定することを特徴とする。
【００１２】
本発明に係る第４の発明は、前記設定手段は、前記複数のシートの設定画面から少なくとも１つのシートを表示し、前記シートに属する設定内容を変更することを特徴とする。
【００１３】
本発明に係る第５の発明は、シートに属する印刷設定が登録されているグループ単位の設定内容を保持する第１保持手段と、前記第１保持手段によって保持されている前記グループ単位の設定内容の組み合わせとして登録されている全体の設定内容を保持する第２保持手段とを備え、複数のシートの設定画面からなるグラフィカルユーザインタフェースを介して所定の機能処理を実行するデバイスで処理されるデータに対する印刷設定を設定するデータ処理装置におけるデータ処理方法であって、前記グラフィカルユーザインタフェースを介して前記全体の設定内容が選択された場合、前記全体の設定内容に登録されている前記グループ単位の設定内容の組み合わせに基づいて前記データに対する印刷設定を設定し、前記グループ単位の設定内容が選択された場合、それぞれ選択されたグループ単位の設定内容に基づいて前記データに対する印刷設定を設定する設定ステップとを有することを特徴とする。
【００１４】
本発明に係る第６の発明は、前記第１保持手段は、前記グラフィカルユーザインタフェースの複数のシート毎に複数のグループ単位の設定内容を保持することを特徴とする。
【００１５】
本発明に係る第７の発明は、前記設定ステップは、前記グラフィカルユーザインタフェースを介してグループ単位に標準設定を選択することが可能であり、それぞれ選択されたグループ単位の標準設定の設定内容に基づいて前記印刷データに対する印刷設定を設定することを特徴とする。
【００１６】
本発明に係る第８の発明は、前記設定ステップは、前記複数のシートの設定画面から少なくとも１つのシートを表示し、前記シートに属する設定内容を変更することを特徴とする。
【００１７】
本発明に係る第９の発明は、第５〜８のいずれかのデータ処理方法を実行させるためのプログラムをコンピュータが読み取り可能な記憶媒体に格納したことを特徴とする。
【００１８】
【発明の実施の形態】
図１は、本実施形態に係るデータ処理装置の構成を説明する図であり、例えばパーソナルコンピュータで構成される場合に対応し、入力デバイスとしてのキーボード１０，制御ボードが収容される本体２０，表示デバイスとしてのＣＲＴ１１等から構成されている。
【００１９】
図２は、本実施形態に係るデータ処理装置の制御構成を説明するブロック図であり、図１と同一のものには同一の符号を付してある。
【００２０】
図において、３０はホストコンピュータ本体で、制御ボード２０が収納されており、周辺機器としてのキーボード１０，ＣＲＴ１１，外部メモリ１２等が接続可能に構成されている。
【００２１】
制御ボード２０において、１はＣＰＵで、例えばハードディスク等で構成される外部メモリ１２に記憶されるブートプログラム，システムプログラム，アプリケーションプログラム，ドライバ等をＲＡＭ２上にロードして、各種のデータ処理を行う。
【００２２】
なお、ＲＡＭ２は、オプションＲＡＭ等によりその記憶容量を拡張可能に構成されている。３はキーボードコントローラ（ＫＢＣ）で、図示しないポインティングデバイスを含むキーボード１０からのキー入力を制御する。
【００２３】
４はＣＲＴコントローラ（ＣＲＴＣ）で、ＣＲＴ１１の表示を制御する。５はディスクコントローラ（ＤＫＣ）で、ブートプログラム、種々のアプリケーション、データファイル等を記憶するＦＤ、ＨＤ、ＣＤ−ＲＯＭ、ＭＤ、ＭＯ等の外部メモリ１２とのアクセスを制御する。６はメインバスで、上記２〜５とＣＰＵ１とを接続して、データアクセスを行う。
【００２４】
なお、本実施形態において断らない限り、ＣＰＵｌがメインバス６を介してＲＡＭ２やＫＢＣ３、ＣＲＴＣ４、ＤＫＣ５の制御を実施する。
【００２５】
また、ホストコンピュータの制御プログラムは外部メモリ１２に格納されており、実行時にそこからロードされ、ＲＡＭ２に展開されてから実行されるものとする。
【００２６】
このように構成されたホストコンピュータ本体３０において、アプリケーションやデバイスドライバの詳細設定をユーザインタフェースを開いて設定変更する際に、ユーザによるＫＢ１０または図示しないポインティングデバイスからの入力を受け付け、その状態や過程をＣＲＴ１１上に表示画面として表示する。また、本実施形態において、複数の設定項目の設定内容をアイコンに登録したり、該アイコンの選択によって設定を処理すべきデータに反映させたりするが、特に断らない限り、登録はＲＡＭ２または外部メモリ１２のメモリ資源に対して行われるものとする。
【００２７】
また、本実施形態では、上記メモリ資源内に以下の手順に作成されたユーザ設定された情報（アイコン）が登録されていることを前提とする。以下、各グループのデフォルト、及び全体のデフォルトはあらかじめ用意されている。また、各ダループ毎に、ユーザによる任意の設定が登録されている（アイコンと名前がつけられている）。さらに、各グループの任意のアイコンを組み合わせたものが「全体」として登録されている（アイコンと名前がつけられている）。
【００２８】
また、本提案ではアイコンを選択してその登録内容を利用する部分について説明する。
【００２９】
以下、ホストコンピュータ本体３０と通信可能なデバイスとしてプリンタを例として、図３，図４に示すユーザインタフェース（ＵＩ）画面を参照しながら、各種設定を１アクションによるアイコン選択で実行する例を説明する。  図３，図４は、図２に示したＣＲＴ１１に表示されるユーザインタフェース（ＵＩ）画面の一例を示す図であり、図３が、各グループシートを総括するメインシートに対応し、図４は、用紙シートの詳細シートに対応する。また、メインシートＭＳＨでは、既に登録してある設定をアイコンを選択することで利用できるようになっている。
【００３０】
図３において、ＴＩＣ−１〜ＴＩＣ−４，ＰＩＣ−１〜ＰＩＣ−４，ＬＩＣ−１，ＯＩＣ−１〜ＯＩＣ−３，ＧＩＣ−１はそれぞれ対応するアイコンで、選択中のアイコンは反転表示される。現在すべてデフォルト選択状態に対応する。
【００３１】
本実施形態において、アイコンリストは、全体と各グループのものをすべてこのシート内に含んでいることを特徴としており、選択されているアイコンは反転表示され、現在の設定が分かるようになっている。
【００３２】
なお、図３に示したアイコンに登録されていない設定を行う場合は、図４に示したグループシートを開いて行う。
【００３３】
図５は、本実施形態に示すデータ処理装置における設定シートの構成例を説明する図であり、（ａ）はメインシートを第１階層において詳細設定ボタンの押下により各グループを含む第２階層を表示するタイプで、（ｂ）は全てを同じ階層に置いてメインシートをその先頭に持ってくるタイプであり、本実施形態では、後者のタイプである図５の（ｂ）を採用している。
【００３４】
次に、図６を参照して、あらかじめ登録しておくべき設定情報の一例について説明する。
【００３５】
図６は、図２に示した外部メモリ１２にあらかじめ登録しておくべき設定情報の一例を示す図であり、図３に示したメインシートＭＳＨにアイコンで表示される各グループのシートで選択可能な設定データと全ての設定データを一括設定するアイコン別の設定データとの一例に対応する。なお、デフォルトに関しては、設定不要とする。なお、外部メモリ１２からＲＡＭ２上にロードされて記憶される構成であってもよい。
【００３６】
図において、用紙としては、ソースリスト用に「４ＵＰ」及び給紙方法としての下段カセット（裏紙が収容されている）を設定して登録され、伝票Ａ／Ｂ用にユーザ定義用紙とそれらの給紙方法を設定したものが登録されている場合に対応する。
【００３７】
オーバレイとしては、伝票Ａ／Ｂ用にそれぞれのフォーマットに応じたフォームを指定したものが登録されている場合に対応する。
【００３８】
全体として、用紙／レイアウト／オーバレイ／グラフィック（図中の縦列）に対して、デフォルト／ソースリスト／伝票Ａ／伝票Ｂ（図中の横列）に対して、上記用紙，オーバーレイの設定が登録されているものとする。
【００３９】
以下、図７に示すフローチャートを参照して、本実施形態に示すアイコン選択指示による登録項目の自動設定変更処理動作について説明する。
【００４０】
図７は、本実施形態に係るデータ処理装置におけるデータ処理手順の一例を示すフローチャートであり、アイコン選択指示による登録項目の自動設定変更処理（図３に示したユーザインタフェース操作）手順に対応する。なお、（１）〜（９）は各ステップを示す。
【００４１】
先ず、図３に示したメインシートＭＳＨをＣＲＴ１１上に開いた状態で、「全体」のアイコンリスト（デフォルトアイコンＴＩＣ−１，ソースリストアイコンＴＩＣ−２，伝票ＡアイコンＴＩＣ−３，伝票ＢアイコンＴＩＣ−４）からいずれかのアイコンが選択されたかどうかを判定し（１）、デフォルトアイコンＴＩＣ−１，ソースリストアイコンＴＩＣ−２，伝票ＡアイコンＴＩＣ−３，伝票ＢアイコンＴＩＣ−４のいずれかがポインティングデバイス操作により選択されたと判定した場合は、各グループのアイコンを「全体」で選択したアイコンに登録されているものに変更し（２）、各シートの設定も各グループのアイコンに応じた内容にリセットする（３）、ステップ（９）以降へ進む。
【００４２】
一方、ステップ（１）で、デフォルトアイコンＴＩＣ−１，ソースリストアイコンＴＩＣ−２，伝票ＡアイコンＴＩＣ−３，伝票ＢアイコンＴＩＣ−４のいずれかがポインティングデバイス操作により選択されていないと判定した場合は、「全体」以外のグループのアイコンリストからいずれかのアイコンが選択されて変更されたかどうかを判定し（４）、変更されたと判定した場合には、「全体」で選択されているアイコンの反転表示を解除し（５）、ステップ（３）へ進み、変更したグループのシートの設定を選択したアイコンに応じた内容にリセットする。
【００４３】
ここで「全体」の反転表示を解除するのは、グループの設定を変えることでカレントの設定が「全体」で選んでいるものと異なったものになるためである。
【００４４】
一方、変更されていないと判定した場合には、他のシートを開く指示がなされているかどうかを判定し（６）、開く指示がなされていると判定した場合には、従来通りに各シートでの設定を行う（７）。ここで設定を変更した場合は、変更したシートのグループのアイコン及び「全体」のアイコンの反転表示を解除して（８）、ステップ（９）へ進む。なお、ステップ（８）における解除処理は、グループの設定を変えることでカレントの設定が「全体」で選んでいるものと異なったものになるためである。
【００４５】
一方、ステップ（６）で、開く指示がなされていないと判定した場合には、図３のＯＫボタンＢＴ１あるいはキャンセルボタンＢＴ２のいずれが押下されているかを判定して（９）、ＯＫボタンＢＴ１，キャンセルボタンＢＴ２とも押下されていない場合はステップ（１）に戻り、ＯＫボタンＢＴ１が押下されていると判定した場合は、現在の設定を残し、キャンセルボタンＢＴ２が押下されていると判定した場合は、現在の設定を捨てて、ユーザインタフェースを閉じて、処理を終了する。
【００４６】
これにより、ソースリストを印刷する場合は、図３に示したユーザインタフェース画面上で、「全体」のソースリストアイコンＴＩＣ−２を選択すれば、図６に示したように、用紙の設定は、ソースリストに、他のグループの設定はすべて図６に示したように「デフォルト」になり、各シートの内容もそのアイコンに応じた設定にリセットされる。なお、他の設定を残した状態で「４ＵＰ」  ，「裏紙」を使いたい場合などは、図３に示した画面上で、「用紙」のアイコンＰＩＣ−２を選択すればよい。
【００４７】
また、数種類のフォーマットの書類を使い分けて印刷する場合には、従来は、用紙，給紙，オーバレイのフォームなどの関連項目の設定をも同時に変更しなければならなかったが、本実施形態によれば、図３に示したユーザインタフェース画面上で、「伝票Ａ」に対応する「全体」のアイコンＴＩＣ−３を選択すると、「用紙」の設定は「伝票Ａ」、「オーバレイ］の設定は「伝票Ａ」、他の設定は「デフォルト」に、１アクションでアイコンの設定も変更される。
【００４８】
同様に「伝票Ｂ」に対応する「全体」のアイコンＴＩＣ−４を選択すると、必要とするすべての設定を１アクションで切り替えることができるので、数種類の書類を使い分ける際の操作指示が格段に軽減されることとなる。
【００４９】
以下、図８に示すメモリマップを参照して本発明に係るデータ処理装置で読み出し可能なデータ処理プログラムの構成について説明する。
【００５０】
図８は、本発明に係るデータ処理装置で読み出し可能な各種データ処理プログラムを格納する記憶媒体のメモリマップを説明する図である。
【００５１】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００５２】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【００５３】
本実施形態における図７に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【００５４】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【００５５】
この場合、記憶媒体から読み出されたプログラムコード自体が本発明の新規な機能を実現することになり、そのプログラムコードを記憶した記憶媒体は本発明を構成することになる。
【００５６】
プログラムコードを供給するための記憶媒体としては、例えば、フロッピーディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いることができる。
【００５７】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００５８】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００５９】
上記実施形態によれば、数アタンョンで好みの設定が可能となり、各グループのアイコンを選択することで、そのシートに属するすべての設定を１アクションで行える。本来複数シートに属する項目の変更でも数アクンョンで行える。
【００６０】
また、特によく使う設定は、１アクンョンですべての設定が可能となり、全体アイコンを選択することで、すべての設定を１アクションで行える。特に定型業務の多い場合に有効となる。
【００６１】
さらに、１シートですべての設定が可能となり、すなわち、アイコンの選択画面は１シートに収まっているので、通常他のシートを開く必要はない、登録してないレアケースの印刷をする場合だけ他のシートで設定を行えば良い。
【００６２】
また、アイコンの数が少なくて済むので、すなわち、各シート毎に設定を登録できるため、それぞれのアイコンの数は少なくて済む。例えば、各シート４個ずつのアイコンを登録し、実施形態のように４グループある場合、アイコンの数は１６個だが、最大４アクションで２５６通り（４の４乗）の設定が可能となる。
【００６３】
さらに、デフォルトに戻す操作が簡単となる、個別アイコンとなる、デフォルトアイコンを各グループ及び全体に持つことで、任意のシートを標準設定に戻したり、全体を標準設定に戻すことが簡単にできる。
【００６４】
従って、少ないアイコン、少ないオペレートで簡単に詳細な属性設定をデータに対して行うことが可能となり作業効率が向上する。
【００６５】
【発明の効果】
以上説明したように、本発明によれば、各シートにおいて設定された印刷設定をグループ単位の設定内容として保持することができ、さらにグループ単位に登録されている設定内容の組み合わせを全体の印刷設定として保持することができるとともに、各シートに属する印刷設定が登録されているグループ単位のグループ印刷設定または各シートの組み合わせからなる印刷設定が登録されている全体印刷設定のいずれかを選択するという簡単な操作で、毎回設定が必要な印刷設定操作を簡略化して、ユーザの印刷要求に適応した印刷設定操作負担を大幅に軽減することができるという効果を奏する。
【図面の簡単な説明】
【図１】本実施形態に係るデータ処理装置の構成を説明する図である。
【図２】本実施形態に係るデータ処理装置の制御構成を説明するブロック図である。
【図３】図２に示したＣＲＴに表示されるユーザインタフェース（ＵＩ）画面の一例を示す図である。
【図４】図２に示したＣＲＴに表示されるユーザインタフェース（ＵＩ）画面の一例を示す図である。
【図５】本実施形態に示すデータ処理装置における設定シートの構成例を説明する図である。
【図６】図２に示した外部メモリにあらかじめ登録しておくべき設定情報の一例を示す図である。
【図７】本実施形態に係るデータ処理装置におけるデータ処理手順の一例を示すフローチャートである。
【図８】本発明に係るデータ処理装置で読み出し可能な各種データ処理プログラムを格納する記憶媒体のメモリマップを説明する図である。
【符号の説明】
１  ＣＰＵ
２  ＲＡＭ
１０  キーボード
１１  ＣＲＴ
１２  外部メモリ
【図１】
0003809282.tif 000002
【図２】
0003809282.tif 000003
【図３】
0003809282.tif 000004
【図４】
0003809282.tif 000005
【図５】
0003809282.tif 000006
【図６】
0003809282.tif 000007
【図７】
0003809282.tif 000008
【図８】
0003809282.tif 000009